(57)【要約】【課題】突出型下側付帯物の開口や建具が大きく、開閉の不具合もない突出型付帯物の取付構造およびこの取付構造を備えた建物を提供すること。【解決手段】突出型下側付帯物３０が取り付けられた建物１０の躯体本体２０に、突出型下側付帯物３０の真上に突出型上側付帯物４０を配設する突出型付帯物の取付構造において、突出型上側付帯物４０の荷重を突出型下側付帯物３０に負担させないように躯体本体２０に突出型上側付帯物４０を取り付けるとともに、突出型上側付帯物４０の下端周縁４１が突出型下側付帯物３０の上部周縁３１に縁切り部３２を設けて覆い被さるようにされた突出型付帯物の取付構造とし、また、これを備えた建物としている。【選択図】図３
2004116160.tif 000002
【特許請求の範囲】
【請求項１】
突出型下側付帯物が取り付けられた建物の躯体本体に、前記突出型下側付帯物の真上に突出型上側付帯物を配設する突出型付帯物の取付構造において、
前記突出型上側付帯物の荷重を前記突出型下側付帯物に負担させないように前記躯体本体に前記突出型上側付帯物を取り付けるとともに、前記突出型上側付帯物の下端周縁が前記突出型下側付帯物の上部周縁に縁切り部を設けて覆い被さるようにされていることを特徴とする突出型付帯物の取付構造。
【請求項２】
請求項１において、
前記縁切り部には、間隙変化に対応するシール材が設けられていることを特徴とする突出型付帯物の取付構造。
【請求項３】
請求項１または２において、
前記突出型上側付帯物は、バルコニーまたは出窓であり、前記突出型下側付帯物は出窓であることを特徴とする突出型付帯物の取付構造。
【請求項４】
請求項１〜３のいずれかに記載の突出型付帯物の取り付け構造を躯体本体に備えたことを特徴とする建物。
【請求項５】
請求項４において、
前記突出型上側付帯物および前記突出型下側付帯物の外表面が外観上一体と見られる化粧が施されていることを特徴とする建物。
【請求項６】
請求項５において、
前記突出型上側付帯物、前記突出型下側付帯物および前記躯体本体の外表面が外観上一体と見られる化粧が施されていることを特徴とする建物。
【発明の詳細な説明】
【０００１】
【発明の属する技術分野】
この発明は、バルコニー（ベランダも含む）、出窓等の躯体本体から外側へ突出した突出型付帯物、特に突出型下側付帯物の上に位置する突出型上側付帯物を躯体本体に取り付ける突出型付帯物の取付構造およびこれら突出型付帯物を備えた建物に関するものである。
【０００２】
【従来の技術】
従来、この種の突出型付帯物の取付構造および建物は、図８に示すようなものがあり、下記特許文献１に開示されている。
【０００３】
これによれば、建物の躯体本体１から外方に突出した出窓等突出型下側付帯物２の真上にバルコニーのような突出型上側付帯物３が位置して設けられていた。
【０００４】
【特許文献１】
実開平６−５４８８８号公報
【０００５】
【発明が解決しようとする課題】
しかしながら、突出型下側付帯物２の上に突出型上側付帯物３の荷重がそのまま掛かるように作られていたため、突出型上側付帯物３を大きくしたり、突出型下側付帯物２の開口を大きくすると、荷重を支える壁が十分でなくなり、開口部の変形が生じたりして時間の経過と共にサッシュなどの建具４の開閉が困難になったりする。そのため、突出型上側付帯物３の大きさや突出型下側付帯物２における開口の大きさが制限されていた。
【０００６】
そこで、この発明は、突出型上側付帯物を大きくしたり、突出型下側付帯物の開口を大きくすることができる突出型付帯物の取付構造およびこの取付構造を備えた建物を提供することを目的としている。
【０００７】
【課題を解決するための手段】
上記目的を達成するために、請求項１に記載された発明では、突出型下側付帯物が取り付けられた建物の躯体本体に、前記突出型下側付帯物の真上に突出型上側付帯物を配設する突出型付帯物の取付構造において、前記突出型上側付帯物の荷重を前記突出型下側付帯物に負担させないように前記躯体本体に前記突出型上側付帯物を取り付けるとともに、前記突出型上側付帯物の下端周縁が前記突出型下側付帯物の上部周縁に縁切り部を設けて覆い被さるようにされていることを特徴とする突出型付帯物の取付構造としている。
【０００８】
この構成によれば、突出型下側付帯物に突出型上側付帯物の荷重が掛からないので、突出型下側付帯物の開口や建具の大きさや形状の自由度が大きいし、開口や建具を大きくすることができる。また、雨が降っても雨漏れの心配がない。
【０００９】
また、請求項２に記載された発明では、請求項１において、前記縁切り部には、間隙変化に対応するシール材が設けられていることを特徴とする突出型付帯物の取付構造としている。
【００１０】
この構成によれば、請求項１の効用に加え、風雨が強くても風や雨が縁切り部から吹き込むことがなく、風きり音や雨漏れのおそれもない。
【００１１】
また、　請求項３に記載された発明では、請求項１または２において、前記突出型上側付帯物はバルコニーあるいは出窓であり、前記突出型下側付帯物は、出窓であることを特徴とする突出型付帯物の取付構造としている。
【００１２】
この構成によれば、請求項２の効用に加え、出窓の上に、出窓やバルコニーを設置することができる。
【００１３】
また、請求項４に記載された発明によれば、請求項１〜３のいずれかに記載の突出型付帯物の取り付け構造を躯体本体に備えたことを特徴とする建物としている。
【００１４】
この構成によれば、突出型上側付帯物または突出型下側付帯物の大きさや形状の自由度を大きくすることができる建物を提供することができる。
また、請求項５に記載された発明では、請求項４において、前記突出型上側付帯物および前記突出型下側付帯物の外表面が外観上一体と見られる化粧が施されていることを特徴とする建物としている。
【００１５】
この構成によれば、請求項４の効用に加え、上側、下側の突出型付帯物は統一性が取れ見栄えもよい。
【００１６】
さらに、請求項６に記載された発明では、請求項５において、前記突出型上側付帯物、前記突出型下側付帯物および前記躯体本体の外表面が外観上一体と見られる化粧が施されていることを特徴とする建物としている。
【００１７】
この構成によれば、請求項５の効用に加え、建物全体で統一感がとれ見栄えも良い。
【００１８】
【発明の実施の形態】
次に、図面に基づいてこの発明を説明する。
【００１９】
図１乃至図７は、この発明の実施の形態を示す図である。
【００２０】
まず、構成を説明すると、この発明に係る建物１０では、図１に示すように、躯体本体２０に外方に突出して突出型下側付帯物３０が取り付けられ、この突出型下側付帯物３０の真上に突出型上側付帯物４０が配設されて突出型付帯物の取付構造とされている。
【００２１】
具体的には、この突出型付帯物の取付構造は、突出型上側付帯物４０の荷重を突出型下側付帯物３０に負担させないように空間を空けて躯体本体２０に突出型上側付帯物４０を取り付けるとともに、突出型上側付帯物４０の下端周縁４１が突出型下側付帯物３０の上部周縁３１に縁切り部３２を設けて覆い被さるようにされている。
【００２２】
突出型下側付帯物３０は、躯体本体２０から外方に突出した床面から天井付近まで開口した掃き出し出窓あるいは腰高から天井付近まで開口した出窓となっている。この例では、突出型下側付帯物３０は、平面視半多角形であり、上部周縁３１を有する天井構成部３４が主として躯体本体２０に支持固定され、その下側に開放感あふれる大きな建具３３が嵌め込まれている。
【００２３】
突出型上側付帯物４０は、図２のように平面視、正１２角形の半分の半多角形を呈しており、半多角形に構成された床フレーム４２と、この床フレーム４２の周囲に設けられた手摺壁４３と、手摺壁４３の上面に立てられた手摺４４と、床フレーム４２上で手摺壁４３に囲まれ、雨仕舞いされた床パネル４５と、床フレーム４２を支持する床支持フレーム４６とから構成されている。
【００２４】
床フレーム４２あるいは床支持フレーム４６は、チャネル材や角パイプを用いて溶接やボルトナットなどの固定手段で組みつけられている。手摺壁４３は、床フレーム４２に固定され、上側は床パネル４５より上方に延在し、下側は突出型下側付帯物３０の上部周縁３１、すなわち、天井構成部３４の上部を覆う位置まで延在している。手摺４４は、手摺壁４３の上面に立ち上げられ、図４および図５に示すように両端が手摺壁４３とともに躯体本体２０にボルトで固定されており、また、図２および図３に示すように床フレーム４２を支持する２本の床支持フレーム４６が離間して躯体本体２０にボルトで固定されている。
【００２５】
床パネル４５は、裏側が桟４７で補強され、躯体本体２０側に溝４８が形成され、溝４７に水が流れるように先上がりに傾斜されている。
【００２６】
したがって、ベランダ、バルコニーといわれる突出型上側付帯物４０は、躯体本体２０に片持ち梁状に固定されている。
【００２７】
前述の縁切り部３２は、突出型下側付帯物３０と突出型上側付帯物４０との間に力の伝達がなされない構造とされており、突出型下側付帯物３０に突出型上側付帯物４０の荷重が掛からないので、突出型下側付帯物３０の開口や建具の大きさや形状の自由度が大きく、開口や建具３３を大きくすることができる。また、雨が降っても突出型下側付帯物３０が雨漏れするという問題はない。
【００２８】
しかし、風雨が強い場合には、風や雨が縁切り部３２から入り、風切り音や突出型下側付帯物３０に漏水させる恐れがあり、さらに、下側から見上げるようになるので見栄えが悪い恐れもある。したがって、この縁切り部３２には、間隙変化に対応するシール材が設けられている。図３、図４、図６において、モール部材３５が、手摺壁４３の下端に取り付けられ、突出型下側付帯物３０の上部周縁３１に、図６のように弾性シール部材３６を介して当接されている。また、弾性シール部材３６を無くして、モール部材３５を上部周縁３１に近付けて合成ゴムあるいは軟質合成樹脂としてシール材とすることもできる。
【００２９】
また、図７のように外装材３５ａの内側に弾性シール部材３７を設けてもよい。弾性シール部材３７は、例えばウレタン樹脂発泡体からなる。さらに、図６、図７に示すようなジョイントシール部材３８がある。ジョイントシール部材３８は、手摺壁４３および突出型下側付帯物３０のそれぞれに挟み込まれて固定された二枚のシートが拝み合わせに接続された形状をしており、間隙の変化に十分対応することができる。
【００３０】
また、　突出型上側付帯物はバルコニーあるいは出窓であり、突出型下側付帯物は、出窓である場合に適用されている突出型付帯物の取付構造としているので、出窓の上に、荷重負担をさせずに出窓やバルコニーを設置している。
【００３１】
また、以上説明した種々の構成の突出型付帯物の取付構造を躯体本体２０に備えて建物としているので、突出型上側付帯物または突出型下側付帯物の大きさや形状の自由度を大きくすることができ、しかも時間経過後も開閉の不具合のない建物となっている。
【００３２】
なお、経時変化により、縁切り部３２の間隙が狭くなったり、突出型上側付帯物４０が突出型下側付帯物３０が介在させている弾性シール材が大きく変形するようになったときには、床支持フレーム４６と床フレーム４２との間に図示しないスペーサを入れて正規間隙にする調整をすることができる。
【００３３】
また、図６、図７に示されるように突出型上側付帯物および突出型下側付帯物の外表面が外観上一体と見られる化粧、例えば同一化粧板や同一タイルが施されて、上側、下側の突出型付帯物が統一性が取れ見栄えもよい建物とされている。
【００３４】
さらに、図示はしないが、突出型上側付帯物、突出型下側付帯物および躯体本体２０の外表面が外観上一体と見られる化粧、例えばボード、タイル、塗装等それぞれ同一のものが施され、建物全体で統一感がとれ見栄えも良い。
【００３５】
【発明の効果】
以上説明してきたように、この発明によれば、突出型下側付帯物に突出型上側付帯物の荷重が掛からない、突出型下側付帯物の開口や建具の大きさや形状の自由度が大きい、時間経過後も開閉に不具合のない、しかも、雨が降っても雨漏れの心配のない突出型付帯物の取付構造およびこの取付構造を備えた建物を提供することができるという実用的な効果を発揮する。
【図面の簡単な説明】
【図１】この発明の実施の形態に係る突出型付帯物の取付構造を備えた建物を示す要部斜視図である。
【図２】この発明の突出型上側付帯物の取付構造の右半分の手摺を除去した平面図である。
【図３】図２のＩＩＩ−ＩＩＩ断面図である。
【図４】図２のＩＶ−ＩＶ断面図である。
【図５】図２のＶ−Ｖ断面図である。
【図６】この発明の縁切り部の拡大断面図である。
【図７】この発明の縁切り部の他の拡大断面図である。
【図８】従来の突出型付帯物の取付構造を備えた建物を示す要部斜視図である。
【符号の説明】
１０：建物
２０：躯体本体
３０：突出型下側付帯物
３１：上部周縁
３２：縁切り部
３５：モール部材（シール材）
３６：３７：弾性シール材（シール材）
３８：ジョイントシール部材（シール材）
４０：突出型上側付帯物
４１：下端周縁
４２：床フレーム
４３：手摺壁
４４：手摺
【図１】
2004116160.tif 000003
【図２】
2004116160.tif 000004
【図３】
2004116160.tif 000005
【図４】
2004116160.tif 000006
【図５】
2004116160.tif 000007
【図６】
2004116160.tif 000008
【図７】
2004116160.tif 000009
【図８】
2004116160.tif 000010